(57)【要約】【課題】表示片等の保持部材を、棚板本体の前面に簡単に取付けることができ、かつ保持部材に、商品や人の手が当接しても、保持部材が変形したり、棚板本体から脱落したりすることがないようにした棚板を提供する。【解決手段】棚板本体１の左右側板６に、前方へ突出する支持片８を設けるとともに、支持片８の上下部に、内方へ突出する係合突起９，１０を設け、側面視下向Ｖ状をなす保持部材１１の前端下部に設けた後上方を向く係合片１３を、下部突起へ係合するとともに、保持部材１１の上端における折曲部を上部突起へ係合し、かつ保持部材１１の折返し片１４の後面を、棚板本体１の前面板５に重合する。【選択図】　　　　図２
2004049749.tif 000002
【特許請求の範囲】
【請求項１】
棚板本体の左右側板に、前方へ突出する支持片を設けるとともに、支持片の上下部に、内方へ突出する係合突起を設け、側面視下向Ｖ状をなす保持部材の前端下部に設けた後上方を向く係合片を、前記下部突起へ係合するとともに、保持部材の上端における折曲部を前記上部突起へ係合し、かつ保持部材の折返し片の後面を、棚板本体の前面板に重合したことを特徴とする棚板。
【請求項２】
保持部材の後側の折返し片は、後向段部を介して垂下する下部片を含み、この下部片を、棚板本体の前面板に重合することにより、後向段部の上方において、折返し片と棚板本体の前面板との間に、挿入用間隙を形成したことを特徴とする請求項１記載の棚板。
【請求項３】
保持部材の折返し片と、棚板本体の前面板の適所同士を、スポット溶接したことを特徴とする請求項１または２記載の棚板。
【請求項４】
支持片を棚板本体の上方へも突出させ、これに伴って、保持部材の上端も、棚板本体の上方へ突出させたことを特徴とする請求項１〜３のいずれかに記載の棚板。
【請求項５】
支持片に設けた内方へ突出する係合突起を、支持片の一部を切起こすことにより形成されたものとしてなる請求項１〜４のいずれかに記載の棚板。
【請求項６】
支持片に設けた内方へ突出する係合突起を、支持片の一部をエンボス加工することにより形成されたものとしてなる請求項１〜４のいずれかに記載の棚板。
【発明の詳細な説明】
【０００１】
【発明の属する技術分野】
本発明は、スーパーマーケット等の店舗における商品陳列棚等の棚板に関する。
【０００２】
【従来の技術】
商品陳列棚等の棚板本体の前面に、名札差しを取付けたり、商品の内容や価格等を記載した表示片等を貼り付けたりするための上下方向を向く横長の保持部材を取付けることは、きわめて一般的である。
【０００３】
このような保持部材は、通常、スポット溶接により、あるいは引掛け係合式に、棚板本体の前面に取付けられているが、表示面積を大とするために、前面を傾斜させたり、棚板の上面または下面に、できるだけ突出させて取付けたりすることが望まれている。
【０００４】
しかし、保持部材が棚板本体の上方もしくは下方へ大きく突出していると、商品や、それを出し入れしようとする人の手等が当接して、保持部材が変形させられたり、あるいは棚板本体の前面から外れてしまうことがある。
【０００５】
また、上記のような保持部材を、棚板本体の前面に強固に取付けることは面倒であり、かつ取付けられた保持部材の側端が、変形させられたり、人や物品に引っ掛かったりすることがある。
【０００６】
【発明が解決しようとする課題】
本発明は、上記した問題点を解消し、上記のような保持部材を、棚板本体の前面に簡単に取付けることができ、かつ保持部材に、商品や人の手が当接しても、保持部材が変形したり、棚板本体から脱落したりすることがないようにした棚板を提供することを目的とするものである。
【０００７】
【課題を解決するための手段】
本発明によると、上記課題は、次のようにして解決される。
（１）棚板本体の左右側板に、前方へ突出する支持片を設けるとともに、支持片の上下部に、内方へ突出する係合突起を設け、側面視下向Ｖ状をなす保持部材の前端下部に設けた後上方を向く係合片を、前記下部突起へ係合するとともに、保持部材の上端における折曲部を前記上部突起へ係合し、かつ保持部材の折返し片の後面を、棚板本体の前面板に重合する。
【０００８】
（２）上記（１）項において、保持部材の後側の折返し片は、後向段部を介して垂下する下部片を含み、この下部片を、棚板本体の前面板に重合することにより、後向段部の上方において、折返し片と棚板本体の前面板との間に、挿入用間隙を形成する。
【０００９】
（３）上記（１）または（２）項において、保持部材の折返し片と、棚板本体の前面板の適所同士を、スポット溶接する。
【００１０】
（４）上記（１）〜（３）のいずれかにおいて、支持片を棚板本体の上方へも突出させ、これに伴って、保持部材の上端も、棚板本体の上方へ突出させる。
【００１１】
（５）上記（１）〜（４）のいずれかにおいて、支持片に設けた内方へ突出する係合突起を、支持片の一部を切起こすことにより形成されたものとする。
【００１２】
（６）上記（１）〜（４）のいずれかにおいて、支持片に設けた内方へ突出する係合突起を、支持片の一部をエンボス加工することにより形成されたものとする。
【００１３】
【発明の実施の形態】
図１は本発明の一実施形態である棚板を備える棚装置の斜視図で、棚板本体（１）の両側端部は、左右の支柱（２）（２）の前面に縦方向に列設された係止孔（３）に係止した適宜のブラケット（４）（４）をもって支持されている。
【００１４】
図２、図３に示すように、棚板本体（１）は、垂下する前面板（５）を有し、かつ棚板本体（１）の側端下面には、側板（６）の上縁に設けた内向フランジ（７）を重合して、スポット溶接してある。
【００１５】
側板（６）の前端には、頂部が内向フランジ（７）より上向突出する側面視前向直角三角形状の支持片（８）が連設されている。
【００１６】
支持片（８）の下端前部と上端部には、それぞれ内向突出する係合突起（９）（１０）が切起形成されている。
【００１７】
図４に示すように、いずれかの係合突起（１９）または両係合突起を、支持片（８）の要所を、エンボス加工により、椀状に突出させて形成してもよい。
【００１８】
各係合突起（９）（１０）には、支持片（８）とほぼ相似形をなし、かつそれよりもやや小寸の側面視前向直角三角形状の断面の保持部材（１１）の側端が係止されている。
【００１９】
保持部材（１１）は、棚板本体（１）の左右幅と等しい長さを有し、支持片（８）の前斜面と平行をなす傾斜片（１２）の前下端に、後上方へ向かって傾斜する係合片（１３）を設け、かつ側斜片（１２）の上端より後下方へ向かって垂下する折返し片（１４）を設けるとともに、折返し片（１４）の下端より、後向段部（１５）を介して、下部片（１６）を垂下したものである。
【００２０】
下部片（１６）の下端には、側面視前向Ｌ形の補強片（１７）が連設されている。
【００２１】
保持部材（１１）の前下部の係合片（１３）を、側板（６）の下部の係合突起（９）に前方から係合するとともに、保持部材（１１）の傾斜片（１２）と垂直片（１４）とで挟まれる部分を、上部の係合突起（１０）に上方から係合し、かつ下部片（１６）を棚板（１）の前面板（５）に重合することにより、保持部材（１１）は、棚板（１）に取付けられている。
【００２２】
なおこの際、保持部材（１１）の下部片（１６）と棚板（１）の前面板（５）とを、適宜スポット溶接しておくことが好ましい。
【００２３】
保持部材（１１）の前面の傾斜片（１２）の上端部は、棚板本体（１）の上方へ突出しているから、その面積は大きく、直接的な記載もしくは貼付による表示を、効果的に行うことができる。
【００２４】
また、保持部材（１１）の両側端は、係合突起（９）（１０）をもって、棚板本体（１）と一体をなす支持片（８）に係止されているから、保持部材（１１）における棚板本体（１）の上方へ突出している部分に物品等が衝突しても、保持部材（１１）が妄りに変形したり、棚板本体（１）の前面板（５）より外れたりすることはない。
【００２５】
【発明の効果】
各請求項に記載の発明の効果は、次の通りである。
請求項１：保持部材を、棚板本体に簡単かつ確実に取付けることができ、かつその側端面は、支持片によって保護される。
【００２６】
請求項２：折返し片と棚板本体の前面板との間隙内に、値札等の表示片を挿入することができる。
【００２７】
請求項３：保持部材の棚板本体に対する取付けはより強固となる。
【００２８】
請求項４：保持部材における表示部の面積は大となり、かつ棚板本体上の物品が前方へ落下するのが防止される。
【００２９】
請求項５、６：係合突起を簡単に形成することができる。
【図面の簡単な説明】
【図１】本発明の棚板を備える棚装置の斜視図である。
【図２】本発明の棚板の要部を示す分解斜視図である。
【図３】同じく要部の縦断側面図である。
【図４】異なる例の要部を示す縦断側面図である。
【符号の説明】
（１）棚板本体
（２）支柱
（３）係止孔
（４）ブラケット
（５）前面板
（６）側板
（７）内向フランジ
（８）支持片
（９）（１０）係合突起
（１１）保持部材
（１２）傾斜片
（１３）係合片
（１４）折返し片
（１５）後向段部
（１６）下部片
（１７）補強片
【図１】
2004049749.tif 000003
【図２】
2004049749.tif 000004
【図３】
2004049749.tif 000005
【図４】
2004049749.tif 000006